(57)【要約】【課題】廃棄物処分場の分解・安定化を早期に完了させるとともに、この分解・安定化が完了するまでの浸出水処理期間を短縮することができる廃棄物処分場を提供すること。【解決手段】底盤１に所定高さの区画壁３を設けることにより処分場の底部を区画するとともに、区画した各ブロック４の底盤に、ブロック４ごとの浸出水を集排する浸出水集排水管枝線６と、枝線６の浸出水を浸出水処理施設まで導水する浸出水集排水管幹線５とを設け、各枝線６の幹線５との合流部付近にブロック４ごとの浸出水を採水する採水部１２を設ける。【選択図】  図１
2005028235.tif 000002
【特許請求の範囲】
【請求項１】
底盤とこれに連なる側面とに遮水工が施され、かつ上面が開放された廃棄物処分場において、底盤に所定高さの区画壁を設けることにより処分場の底部を区画するとともに、区画した各ブロックの底盤に、ブロックごとの浸出水を集排する浸出水集排水管枝線と、枝線の浸出水を浸出水処理施設まで導水する浸出水集排水管幹線とを設け、各枝線の幹線との合流部付近にブロックごとの浸出水を採水する採水部を設けたことを特徴とする廃棄物処分場。
【請求項２】
底盤とこれに連なる側面とに遮水工が施され、かつ上面が開放された廃棄物処分場において、底盤に所定高さの区画壁を設けることにより処分場の底部を区画するとともに、区画した各ブロックの底盤に、ブロックごとの浸出水を集排する浸出水集排水管枝線と、枝線の浸出水を浸出水処理施設まで導水する浸出水集排水管幹線とを設け、各枝線の幹線との合流部付近にブロックごとの浸出水を採水する採水部を設け、浸出水をブロックごとに採水して水質調査をするとともに、ブロックごとの処分場の分解・安定化の度合いを確認し、分解・安定化が確認されたブロックへの浸水を制限する一方、分解・安定化が確認されていない他のブロックへの浸水量を増加させることを特徴とする廃棄物処分場の分解・安定化システム。
【発明の詳細な説明】
【０００１】
【発明の属する技術分野】
本発明は、廃棄物処分場に関し、特に、廃棄物処分場の分解・安定化を早期に完了させるとともに、この分解・安定化が完了するまでの浸出水処理期間を短縮することができる廃棄物処分場に関するものである。
【０００２】
【従来の技術】
産業廃棄物や一般家庭から排出される生活廃棄物の処分方法として埋立が行われている。
この埋立は、山間の谷間などの内陸部や海岸部などに廃棄物処分場を造成して行われる。
埋め立てられた廃棄物は生物的作用や物理化学的作用により分解・安定化していくが、特に、オープン型処分場の場合は降雨による浸出水の洗い出し効果が大きく、また、処分場を屋根構造物で覆う被覆型処分場の場合は散水による浸出水の洗い出し効果が大きい。
そして、従来の廃棄物処分場では、最下流部から流出する浸出水の水質調査結果を、その処分場の分解・安定化の確認指標の一つとしている。
【０００３】
【発明が解決しようとする課題】
しかしながら、上記従来の廃棄物処分場は、浸出水の水質調査を処分場の最下流部で実施していることから、埋立完了後の処分場の管理廃止を判断するに際し、処分場全体が分解・安定化するまで、処分場全体の浸出水を処理し続けなければならず、これにより、浸出水処理施設の運転コストが高くなるという問題を有している。
【０００４】
本発明は、上記従来の廃棄物処分場が有する問題点に鑑み、廃棄物処分場の分解・安定化を早期に完了させるとともに、この分解・安定化が完了するまでの浸出水処理期間を短縮することができる廃棄物処分場を提供することを目的とする。
【０００５】
【課題を解決するための手段】
上記目的を達成するため、本発明の廃棄物処分場は、底盤とこれに連なる側面とに遮水工が施され、かつ上面が開放された廃棄物処分場において、底盤に所定高さの区画壁を設けることにより処分場の底部を区画するとともに、区画した各ブロックの底盤に、ブロックごとの浸出水を集排する浸出水集排水管枝線と、枝線の浸出水を浸出水処理施設まで導水する浸出水集排水管幹線とを設け、各枝線の幹線との合流部付近にブロックごとの浸出水を採水する採水部を設けたことを特徴とする。
【０００６】
この廃棄物処分場は、底盤に所定高さの区画壁を設けることにより処分場の底部を区画するとともに、区画した各ブロックの底盤に、ブロックごとの浸出水を集排する浸出水集排水管枝線と、枝線の浸出水を浸出水処理施設まで導水する浸出水集排水管幹線とを設け、各枝線の幹線との合流部付近にブロックごとの浸出水を採水する採水部を設けることから、浸出水をブロックごとに採水して水質調査をするとともに、ブロックごとの処分場の分解・安定化の度合いを確認することができる。
そして、分解・安定化が確認されたブロックへの浸水を制限する一方、分解・安定化が確認されていない他のブロックへの浸水量を増加させることにより、他のブロックの浸透水量を増やして洗い出し効果を向上させ、廃棄物処分場の分解・安定化を早期に完了させるとともに、この分解・安定化が完了するまでの浸出水処理期間を短縮することができ、簡単で低廉な構造にもかかわらず浸出水処理にかかる費用を大きく抑制することができる。
【０００７】
また、本発明の廃棄物処分場の分解・安定化システムは、底盤とこれに連なる側面とに遮水工が施され、かつ上面が開放された廃棄物処分場において、底盤に所定高さの区画壁を設けることにより処分場の底部を区画するとともに、区画した各ブロックの底盤に、ブロックごとの浸出水を集排する浸出水集排水管枝線と、枝線の浸出水を浸出水処理施設まで導水する浸出水集排水管幹線とを設け、各枝線の幹線との合流部付近にブロックごとの浸出水を採水する採水部を設け、浸出水をブロックごとに採水して水質調査をするとともに、ブロックごとの処分場の分解・安定化の度合いを確認し、分解・安定化が確認されたブロックへの浸水を制限する一方、分解・安定化が確認されていない他のブロックへの浸水量を増加させることを特徴とする。
【０００８】
この廃棄物処分場の分解・安定化システムは、底盤に所定高さの区画壁を設けることにより処分場の底部を区画するとともに、区画した各ブロックの底盤に、ブロックごとの浸出水を集排する浸出水集排水管枝線と、枝線の浸出水を浸出水処理施設まで導水する浸出水集排水管幹線とを設け、各枝線の幹線との合流部付近にブロックごとの浸出水を採水する採水部を設け、浸出水をブロックごとに採水して水質調査をするとともに、ブロックごとの処分場の分解・安定化の度合いを確認し、分解・安定化が確認されたブロックへの浸水を制限する一方、分解・安定化が確認されていない他のブロックへの浸水量を増加させることから、他のブロックの浸透水量を増やして洗い出し効果を向上させ、廃棄物処分場の分解・安定化を早期に完了させるとともに、この分解・安定化が完了するまでの浸出水処理期間を短縮することができ、簡単で低廉な構造にもかかわらず浸出水処理にかかる費用を大きく抑制することができる。
【０００９】
【発明の実施の形態】
以下、本発明の廃棄物処分場及びその分解・安定化システムの実施の形態を図面に基づいて説明する。
【００１０】
図１〜図３に、本発明の廃棄物処分場及びその分解・安定化システムの一実施例を示す。
この廃棄物処分場は、図１に示すように、底盤１とこれに連なる側面２とに遮水工が施され、かつ上面が開放された廃棄物処分場において、底盤１に高さ１ｍ程度の区画壁３を設け、処分場を複数のブロック４に区画している。
この区画壁３の高さは、各ブロック４の浸出水を処分場の底部で区分けできる高さであればよく、数十ｃｍから１ｍ程度の高さにすることが経済的である。
底盤１は下流側に向って勾配を付け、各ブロックの底盤１には有孔管からなる浸出水集排水管５、６を敷設する。
浸出水集排水管は、区画壁３を貫通して処分場外の浸出水処理施設に接続される管を幹線５、当該ブロックの浸出水のみを集排する管を枝線６とし、枝線６は幹線５に適宜接続されている。
【００１１】
浸出水集排水管の幹線５と枝線６の接続部にはマンホール７を設け、図２に示すように、このマンホール内底部において幹線５、枝線６と同じ幅・方向を持つインバート（溝）８、９を接続することで合流させる。
そして、採水部として、このマンホール７内の枝線２のインバート１０に角落とし１２を設け、他のブロックの浸出水１０を含む幹線５と合流する前の、当該ブロックのみの浸出水１１を採水して水質調査ができるようにしている。
これにより、ブロックごとに浸出水の水質調査をすることにより、ブロックごとの処分場の分解・安定化の度合いを確認することができる。
【００１２】
オープン型処分場においては、図３（ａ）に示すように、埋立ブロック１３で分解・安定化が確認された場合、処分場表面を土砂などの遮水材１５により降雨１６の浸透をゼロ又は少量に制限し、分解・安定化が確認されていない他のブロック１４へ雨水１６を転流浸透させることで、他のブロック１４の浸透水量を増やし、洗い出し効果を向上させる。
【００１３】
また、被覆型処分場においては、図３（ｂ）に示すように、ブロック１７で分解・安定化が確認された場合、当該ブロック１７への散水１９をゼロ又は少量に制限し、分解・安定化が確認されていない他のブロック１８への散水１９を増やし、洗い出し効果を向上させる。
【００１４】
なお、処分場規模が大きい場合は、図３（ｃ）に示すように、ブロック４の区画数を増やすことにより、各ブロック４の埋立層の分解・安定化速度に対応した浸出水の制御が可能となる。
また、本実施形態では、浸出水処理施設、遮水設備、屋根構造物の換気設備、照明設備、その他の周縁設備などを図示省略しているが、これらの設備も処分場の内外に配置されていることはもちろんである。
【００１５】
かくして、本実施例の廃棄物処分場及びその分解・安定化システムは、底盤１に所定高さの区画壁３を設けることにより処分場の底部を区画するとともに、区画した各ブロック４の底盤に、ブロック４ごとの浸出水を集排する浸出水集排水管枝線６と、枝線６の浸出水を浸出水処理施設まで導水する浸出水集排水管幹線５とを設け、各枝線６の幹線５との合流部付近にブロック４ごとの浸出水を採水する採水部１２を設け、浸出水１１をブロック４ごとに採水して水質調査をするとともに、ブロック４ごとの処分場の分解・安定化の度合いを確認し、分解・安定化が確認されたブロック４への浸水を制限する一方、分解・安定化が確認されていない他のブロック４への浸水量を上記制限した分だけ増加させることから、他のブロック４の浸透水量を増やして洗い出し効果を向上させ、廃棄物処分場の分解・安定化を早期に完了させるとともに、この分解・安定化が完了するまでの浸出水処理期間を短縮することができ、簡単で低廉な構造にもかかわらず浸出水処理にかかる費用を大きく抑制することができる。
【００１６】
以上、本発明の実施例を説明したが、本発明の廃棄物処分場及びその分解・安定化システムは、この実施例の記載に限定されるものではなく、その趣旨を逸脱しない範囲において適宜に変更することが可能である。
【００１７】
【発明の効果】
本発明の廃棄物処分場によれば、底盤に所定高さの区画壁を設けることにより処分場の底部を区画するとともに、区画した各ブロックの底盤に、ブロックごとの浸出水を集排する浸出水集排水管枝線と、枝線の浸出水を浸出水処理施設まで導水する浸出水集排水管幹線とを設け、各枝線の幹線との合流部付近にブロックごとの浸出水を採水する採水部を設けることから、浸出水をブロックごとに採水して水質調査をするとともに、ブロックごとの処分場の分解・安定化の度合いを確認することができる。
そして、分解・安定化が確認されたブロックへの浸水を制限する一方、分解・安定化が確認されていない他のブロックへの浸水量を増加させることにより、他のブロックの浸透水量を増やして洗い出し効果を向上させ、廃棄物処分場の分解・安定化を早期に完了させるとともに、この分解・安定化が完了するまでの浸出水処理期間を短縮することができ、簡単で低廉な構造にもかかわらず浸出水処理にかかる費用を大きく抑制することができる。
【００１８】
また、本発明の廃棄物処分場の分解・安定化システムによれば、底盤に所定高さの区画壁を設けることにより処分場の底部を区画するとともに、区画した各ブロックの底盤に、ブロックごとの浸出水を集排する浸出水集排水管枝線と、枝線の浸出水を浸出水処理施設まで導水する浸出水集排水管幹線とを設け、各枝線の幹線との合流部付近にブロックごとの浸出水を採水する採水部を設け、浸出水をブロックごとに採水して水質調査をするとともに、ブロックごとの処分場の分解・安定化の度合いを確認し、分解・安定化が確認されたブロックへの浸水を制限する一方、分解・安定化が確認されていない他のブロックへの浸水量を増加させることから、他のブロックの浸透水量を増やして洗い出し効果を向上させ、廃棄物処分場の分解・安定化を早期に完了させるとともに、この分解・安定化が完了するまでの浸出水処理期間を短縮することができ、簡単で低廉な構造にもかかわらず浸出水処理にかかる費用を大きく抑制することができる。
【図面の簡単な説明】
【図１】本発明の廃棄物処分場及びその分解・安定化システムの実施例を示し、（ａ）は平面図、（ｂ）は（ａ）のＡ−Ａ線断面図である。
【図２】（ａ）は図１（ａ）のＢ−Ｂ線断面図、（ｂ）は図２（ａ）のＢ−Ｂ線断面図である。
【図３】（ａ）はオープン型処分場において、特定ブロックで分解・安定化が確認された場合の他のブロックへの雨水転流を示す断面図、（ｂ）は被覆型処分場において、特定ブロックで分解・安定化が確認された場合の、他のブロックへの散水増量を示す断面図、（ｃ）は処分場規模が大きい場合のブロック区画を示す平面図である。
【符号の説明】
１    底盤
２    側面
３    区画壁
４    ブロック
５    浸出水集排水管の幹線
６    浸出水集排水管の枝線
７    マンホール
８    浸出水集排水管（幹線）のインバート（溝）
９    浸出水集排水管（枝線）のインバート（溝）
１０  他のブロックの浸出水
１１  当該ブロックの浸出水
１２  角落とし（採水部）
１３  埋立ブロック（分解・安定化完了）
１４  埋立ブロック（分解・安定化未完了）
１５  遮水材
１６  雨水
１７  埋立ブロック（分解・安定化完了）
１８  埋立ブロック（分解・安定化未完了）
１９  分解・安定化散水
【図１】
2005028235.tif 000003
【図２】
2005028235.tif 000004
【図３】
2005028235.tif 000005